(57)【特許請求の範囲】
【請求項１】
金属製丸形パイプの、上端部を圧縮して帽子状部２ａを形成すると共に、下部には挿入孔室３を設けて、擬餌本体１を構成し、該擬餌本体における帽子状部２ａの中心に、連結杆通孔４ａを開穿して成るイカ釣針の擬餌体。
【請求項２】
金属製丸形パイプの、上面部を平板状に圧縮して水掻部２ｂを形成すると共に、下部には挿入孔室３を設けて、擬餌本体１を構成し、該擬餌本体における水掻部２ｂの中心中央に位置して、挿入孔室３に通じる連結杆通孔兼係止鉤部鉤杆拡開防止装置管部４ｂを貫通して成るイカ釣針の擬餌体。
【請求項３】
上記、金属製丸形パイプから成る擬餌本体１における挿入孔室３の一部を、角形に圧縮成形した事を、特徴とする請求項１乃至２におけるイカ釣針の擬餌体。
【請求項４】
金属製角形パイプの、上面部を平板状に圧縮して、水掻部２ｂを形成すると共に、下部には挿入孔室３を設けて、擬餌本体１を構成し該擬餌本体における水掻部２ｂの中心中央に位置して、挿入孔室３に通じる連結杆通孔兼係止鉤部鉤杆拡開防止装置管部４ｂを貫通して成る、イカ釣針の擬餌体。
【請求項５】
上記、請求項２と請求項４の擬餌体において、釣針付芯杆５の上部に下部支承筒６を串挿し、この釣針付芯杆５の連結杆引掛鉤部８には連結杆９の釣針付芯杆連結部１０を、折曲自在に引掛け、且つこの連結杆の上部より上部支承筒１１と、弾性体１２と弾性体補強管１３と、を順次挿通し、その弾性体補強管と弾性体と上部支承筒上部とを擬餌本体１の、挿入孔室３に内包すると共に、上部支承筒１１の凹部２４と下部支承筒６の凸部２５とを嵌合して、イカ抱付き折曲防止機構を構成せしめ、且つ連結杆９の係止鉤部１４を擬餌本体１における連結杆通孔兼係止鉤部鉤杆拡開防止装置管部４ｂに貫通し、上記、係止鉤部１４に上部係止環１５を引掛けて成る請求項２か請求項４の擬餌体を利用したイカ釣針。
【請求項６】
上記、請求項２と請求項４の擬餌体において、釣針付芯杆５の連結杆引掛鉤部８に、連結杆９の釣針付芯杆連結部１０を折曲自在に引掛け、且つこの連結杆の上部より支承筒２６と弾性体１２と、弾性体補強管１３とを順次挿通し、その弾性体補強管と弾性体と支承筒の上部とを、擬餌本体１の挿入孔室３に内包すると共に、該支承筒の下部を釣針付芯杆５の上端に、嵌合させてイカ抱付き折曲防止機構を構成せしめ、且つ連結杆９の係止鉤部１４を擬餌本体１における連結杆通孔兼係止鉤部鉤杆拡開防止装置管部４ｂに、貫通し上記、係止鉤部１４に、上部係止環１５を引掛けて成る請求項２か請求項４の擬餌体を用いて成るイカ釣針。
【発明の詳細な説明】
【０００１】
【発明の属する技術分野】
本発明は、組立分解ができ且つ機械釣りのガイドローラにもなじむ、イカ釣針における擬餌体、並びにその擬餌体を用いたイカ釣針に関する。
【０００２】
【従来の技術】
金属製パイプから成るイカ釣針の、擬餌体における従来技術としては、まず昭和４７年実用新案出願公告第４１６６７号（以下第一先行技術と略称する）があげられる。その技術手段を要約すれば、「金属製パイプの下端に針杆を附設し、さらに金属製パイプ内の下半分位までに、錘を設けると共に、パイプの上方に窓孔を穿孔せしめ、この窓孔を利用してパイプ内に合成樹脂を一体に焼込み成型せしめて、この窓孔より合成樹脂を露出せしせると共に、パイプの上端開口部からも、少し合成樹脂を棒状に突出せしめ、この突出部に止着孔を穿孔せしめて成るイカ釣針」である。
【０００３】
次に、組立分解が可能で、且つ金属製パイプを用いたイカ釣針における擬餌体としての従来技術は、昭和５６年実用新案出願公告第１６９３４号（以下第二先行技術と略称する。）もある。技術手段は上端を擬餌体に固着し釣針を串挿する釣針軸の両側に、釣針杆嵌着用の長溝を開穿すると共に、その釣針軸の下部に釣針杆スライド用の逃げ溝を前記、長溝に連続して設け、且つ前記、釣針軸の長溝に、下端に鉤形止部を有する釣針杆を嵌着し、更にこの釣針杆の鉤形止部に止環を着脱自在に取付けて成るイカ釣針を示し、その擬餌体はステンレス中実擬餌体であることが記載され、図面からは角形パイプが用いられているが理解できる。加えて、その角形パイプの上端は、平板状に形成され、その平板状の中央に位置して、テグス又は道糸の、結着孔が開穿されている技術手段が明らかにされているものである。
【０００４】
【発明が解決しようとする課題】
さて、先に示した第一先行技術は、その構成を金属製パイプの下端に針杆を附設し、更に金属製パイプ内の下半分位までに錘を設けると共に、パイプの上方に窓孔を穿孔せしめ、この窓孔を利用してパイプ内に合成樹脂を一体に焼込み成型せしめて、この窓孔より合成樹脂を露出せしめると共に、パイプの上端開口部からも、少し合成樹脂を棒状に突出しこの突出部に、止着孔を穿孔せしめて成るイカ釣針を示すものであるが、その金属製パイプの上端口から合成樹脂を棒状に突出せしめ、この突出部に止着孔を穿孔している。このため、機械釣りの場合に数拾本ものイカ釣針をつなぐため、多大な重量となり、しかも海中にあって擬餌体は乱舞状態となるため止着孔とテグス又は道糸を、直接に結着したのでは、テグス又は道糸が、止着孔と擦れて接断される欠点が生じる課題（以下第一主課題と略称する）がある。従って、イカの機械釣りには、全く使用に耐え得ないイカ釣針となる。使用すれば接断するという危険がある。
【０００５】
又、突出部は合成樹脂製であるため、この突出部にある止着孔は、重量に耐えかね、テグス又は道糸が、接断されないとしても破損する課題（以下第一縦課題と略称する）も生じる。
【０００６】
加えて、この第一先行技術は組立分解を考えた構造でなく、一度完成品とすると、それを固定したままであるため重量の調整機能がなく、軽いイカ釣針としたり重いイカ釣針としたり、変更することができず、機械釣りを考えた場合に軽いイカ釣針にせれば、数多くのイカ釣針が使用し得る場合の調整ができず、更には、深い海中に投入するため重いイカ釣針が必要とするとき、それにも対応できない課題（以下第二主課題と略称する）がある。
【０００７】
且つ、擬餌体と傘状釣針との間に、折り曲がり場所がないため機械釣りには、ガイドローラ等があって折り曲がる必要がありこの機能に応じられず使用すれば破損する課題（以下第二縦課題と略称する）も生じるものである。
【０００８】
次に、第二先行技術の課題であるが、その構成を以って説明すれば、構成は「上端を、擬餌体に固着し釣針を串挿する釣針軸の両側に、釣針杆嵌着用の長溝を開穿すると共に、その釣針軸の下部に、釣針杆スライド用の逃げ溝を前記、長溝に連続して設け、且つ前記、釣針軸の長溝に、下端に鉤形止部を有する釣針杆を嵌着し、更に、この釣針杆の鉤形止部に止環を、着脱自在に取付けて成るイカ釣針」としており、まずテグス又は道糸に、接続する場合を考えるとき、第一先行技術同様に図面から、明らかのように擬餌体に設けた、止着孔を利用することになり、擬餌体が海中で乱舞したり、引上げ引下げ作用が生じたとき、直接、止着孔とテグス又は道糸がすれて、そこから接断する第一主課題が生じる欠点ある。
【０００９】
又、第二先行技術は、組立分解機構を考えた考案であるが、部品の交換を考えたものでなく、具体的な構成においても、自然に部品交換もできるものでなく、一つのイカ釣針で、軽くしたり重いイカ釣針として利用し得ない、第二主課題もあるイカ釣針である。
【００１０】
【課題を解決するための手段】
上記、課題群を解決するための手段として、本発明が、構じた技術手段は、先ず、第一主課題の解決のため、金属製パイプからなる、擬餌体でありながら、連結杆と、上係止環とを、用いられるようにしたことである。具体的には、金属製パイプの、上端部を圧縮して、帽子状部に形成し、その帽子状部に、連結杆通孔を設けて課題を解決した。加えて、これを更に改良するものとして、金属製パイプの上面部を、平板状に圧縮して、水掻部を形成し、その水掻部の中心中央に、挿入孔室に通ずる、連結杆通孔兼係止鉤部鉤杆拡開防止装置管部を貫通し、連結杆と、上部係止環とを、用いられるようにしたため連結杆の係止鉤部と、上部係止環のところで回動し得るため、イカ釣針が海中で乱舞して変化しても、上部係止環とテグス又は道糸の、ところではすれ動きなど生じることなく、したがってテグス又は道糸が、接断する問題が生ぜず、手釣り用イカ釣針として使用できるばかりでなく、機械釣り用としても、適するイカ釣針を完成せしめ、完全に第一主課題を解決したものである。
【００１１】
又、本発明は金属製パイプの、下方の開放口を利用することと、連結杆と上部係止環と用いられるため、挿入孔室に錘を、出し入れすることが可能で、一つのイカ釣針を、軽いイカ釣針としたり、重いイカ釣針としたりすることが、自由となり実際に遠海へ出ても、海の深さの変化に対しても、自由に対応可能となり、第二主課題も解決している。
【００１２】
且つ、また接続部分に、合成樹脂など用いてないため、第一縦課題も解決している。
【００１３】
更に加えて、金属製パイプの擬餌体ではあるが、下方が挿入孔室とし、連結杆が用いられるため、容易に擬餌体に傘状釣針とのところで、折曲自在の構造を、得ることが可能で、第二縦課題も解決しているものである。
【００１４】
【発明の実施の形態】
本発明の、実施の形態を図面と共に説明するに、まず縦断正面図１と、その分解図である図２は、本発明の請求項１の実施の形態を示すもので、基本的、原理的な実施例である。その具体的な説明をすれば、金属製丸形パイプの上端部を圧縮して、帽子状部２ａを形成すると共に、下部には挿入孔室３を設けて擬餌本体１を構成しその擬餌本体における帽子状部２ａの中心に、連結杆通孔４ａを、開穿して成るイカ釣針の擬餌体と、その具体的使用例として、釣針付芯杆５は、外周に鉤部杆１７を巻付け、その鉤部杆の上端を連結杆引掛鉤部８とし、下部には下部係止環受部１６を設けると共に、下部係止環受部に座金１８を介して下部係止環１９を係止し、且つその状態において、固定リング２０に、結束された傘状釣針２１を、二段にして串挿して、形成するものである。この傘状釣針２１が付いた釣針付芯杆５の上段に、補強座金２２を介して、下部支承筒６を嵌合すると共に、その下部支承筒の頂面より連結杆引掛鉤部８を、露出せしめておき連結杆引掛鉤部には、上部より弾性体１２と上部支承筒１１を串挿した連結杆９の、釣針付芯杆連結部１０を引掛け、この連結杆の上部にある係止鉤部１４を連結杆通孔４ａに、貫通すると共に、その係止鉤部に上部係止環１５を係止して、使用するイカ釣針を構成したものである。
【００１５】
次に、請求項２について、図面と共に説明するに、図３乃至７が請求項２の発明の図面である。これを構成と共に説明すれば、金属製丸形パイプの上面部を平板状に、圧縮して水掻部２ｂを形成すると共に、下部には、挿入孔室３をもうけて、擬餌本体１を構成し、該擬餌本体における水掻部２ｂの、中心中央に位置して、挿入孔室３に通じる、連結杆通孔兼係止鉤部鉤杆拡開防止装置管部４ｂを貫通して成る、イカ釣針の擬餌体であり、その使用例として、具体的には、まず、釣針付芯杆５をその外周に、鉤部杆１７を巻付け、その鉤部杆の上端を、連結杆引掛鉤部８に構成せしめ、下部には、下部係止環受部１６を設けると共に、その下部係止環受部に座金１８を介して、下部係止環１９を係止し、且つその状態において、固定リング２０に結束された傘状釣針２１を、三段にして串挿して形成するものである。この傘状釣針２１が、付いた釣針付芯杆５の上部に補強座金２２と、錘体７を介して、下部支承筒６を嵌合すると共に、その下部支承筒の頂面より、連結杆引掛鉤部８を、露出せしめておき、その連結杆引掛鉤部には、弾性体補強管１３、弾性体１２、上部支承筒１１を、順次串挿した連結杆９の、釣針付芯杆連結部１０を引掛け、この連結杆の、上部に位置してある係止鉤部１４を、連結杆通孔兼係止鉤部鉤杆拡開防止装置管部４ｂに、貫通すると共に、その係止鉤部に、上部係止環１５を係止して、使用し得るイカ釣針を、構成せしめたものである。
【００１６】
加えて、請求項３の発明は、図１６乃至１９に示す通り、請求項１乃至２の発明の、擬餌本体１が、金属製パイプの丸形であるため、上部支承筒１１も断面丸形となり、上部支承筒１１は、擬餌本体１内で回転するおそれがあり、それにともなって、釣針付芯杆５並び傘状釣針２１等も、回動することにもなる。これを防止するため、金属製丸形パイプから成る、擬餌本体１における挿入孔室３の、下端一部を角形に圧縮成形して、実施するものを示すものである。
【００１７】
更に、請求項４の発明の実施の形態を、図８乃至１２をもって説明すれば、請求項２の発明と同様に、金属製角形パイプの上面部を平板状に、圧縮して水掻部２ｂを、形成すると共に、下部には挿入孔室３を設けて、擬餌本体１を構成し、該擬餌本体における水掻部２ｂの、中央中心に位置して、挿入孔室３に通じる、連結杆通孔兼係止鉤部鉤杆拡開防止装置管部４ｂを、貫通して成るイカ釣針の擬餌体であり、その使用例として、具体的には、まず、釣針付芯杆５はその外周に、鉤部杆１７を巻付け、その鉤部杆の上端を、連結体引掛鉤部８を構成せしめ、下部には下部係止環受部１６を設け、且つ連結杆引掛鉤部８には弾性体１２、上部支承筒１１を串挿した、連結杆９の、釣針付芯杆連結部１０を引掛け、この連結杆の、上部にある係止鉤部１４を連結杵通孔兼係止鉤部鉤杆拡開防止装置管部４ｂに貫通すると共に、係止鉤部に上部係止環１５を係止して使用するイカ釣針を構成したものである。
【００１８】
且つ、請求項５の発明は、請求項２、並びに請求項４の発明である擬餌体を、利用して成る具体的なイカ釣針の発明である。又、図面で示せば請求項２は図３乃至７であり、請求項４は図８乃至１２である。その実施の形態の構成を説明するに請求項２、または、請求項４の擬餌体において釣針付芯杆５の上部に下部支承筒６を串挿し、この釣針付芯杆の連結杆引掛鉤部８には連結杆９の釣針付芯杆連結部１０を折曲自在に引掛け、且つ、この連結杆の上部より、上部支承筒１１と弾性体１２と弾性体補強管１３とを順次挿通し、その弾性体補強管と弾性体と上部支承筒の上部とを擬餌本体１の挿入孔室３に、内包すると共に、上部支承筒１１の凹部２４と、下部支承筒６の凸部２５とを嵌合して、イカ抱付き折曲防止機構を、構成せしめ、且つ上記、連結杆９の係止鉤部１４を、擬餌本体１における、連結杆通孔兼係止鉤部鉤杆拡開防止装置管部４ｂに、貫通し該係止鉤部に、上部係止環１５を引掛けて成る、請求項２か請求項４の、擬餌体を利用したことを、特徴とするイカ釣針である。
【００１９】
この請求項５における、錘体７の材料は、主として鉛を用いるが、軽いイカ釣針として、利用したいときは、合成樹脂、もしくは軽い材質のものを用い、更に、軽いものを希望する場合は、錘体を使用しなくてもよいものである。
【００２０】
且つ、又請求項６の発明は、請求項５の発明を、更に改良したイカ釣針で、図１３乃至１５に示すものであり、その実施の形態の構成を説明するに、請求項２又は請求項４の擬餌体において、釣針付芯杆５の連結杆引掛鉤部８に、連結杆９の釣針付芯杆連結部１０を、折曲自在に引掛け、且つこの連結杆の上部より支承筒２６と、弾性体１２と弾性体補強管１３とを、順次挿通し、その弾性体補強管と弾性体と支承筒の上部とを擬餌本体１の、挿入孔室３に内包すると共に、該支承筒の下部を釣針付芯杆５の上端に、嵌合させてイカ抱付き折曲防止機構を構成せしめ、且つ上記、連結杆９の係止鉤部１４を擬餌本体１における、連結杆通孔兼係止鉤部鉤杆拡開防止装置管部４ｂに貫通し、上記、係止鉤部１４に、上部係止環１５を引掛けてイカ釣針としたものである。
【００２１】
上記の、金属製丸形パイプ、または、金属製角形パイプの材料は、ステンレススチール、真鍮、又は、アルミニウム軽合金等、金属製品であればよく、大型で軽いイカ釣針を望むときなどは、アルミニウム軽合金を、用いるとよいものである。
【００２２】
連結杆９の、形成は針金をＵ字状に折曲して、下部に釣針付芯杆連結部１０を、形成すると共に、上端には両端を内側に丸く曲げて鉤状に折り返し、係止鉤部１４を構成せしめる。
【００２３】
釣針付芯杆５の構成は、中心に芯軸２３を用いこれに縦溝を二本設ける。この溝に、針金をＵ字状に折曲して、上部に連結杆引掛鉤部８を設け、下部には両端を内側に、丸く曲げ鉤状に折り返して、下部係止環受部１６とした鉤部杆１７を固着し、この連結杆引掛鉤部と、下部係止環受部を、備えた芯軸２３に、一段、二段、若しくは、三段方式いずれでもよく、傘状釣針２１を串挿し、座金１８を介して下部係止環受部１６に下部係止環１９を係止して、構成するものである。他の方法としては、図１７に示すような、針金をＣ状にして、鉤部杆１７として使用してもよいものである。
【００２４】
弾性体１２は、合成樹脂製筒体、ゴム筒体、若しくは金属製の弾撥発条を用いる。
【００２５】
又、弾性体１２と、弾性体補強管１３との、位置関係はどちらを上位に位置してもよく、自由に選択して使用する。
【００２６】
弾性体補強管１３の材料は主に合成樹脂製とするが、重量を要求されるイカ釣針にあっては、鉛等の重い材料を、使用することも出来るものである。
【００２７】
本発明に、おけるイカ釣針の擬餌体を用いたイカ釣針の組立分解の方法は、その代表例として、図３と図６をもって説明すれば、芯軸２３を用い、これに、二本の縦溝を設け、その縦溝に一本の針金を、Ｕ字状に折曲した鉤部杆１７を、嵌合すると共に、上部には、連結杆引掛鉤部８を設け、下部には両端を内側に、丸く曲げ鉤状に折りかえして、下部係止環受部１６を設ける。この鉤部杆１７を備えた芯軸２３に、固定リング２０で結束された、傘状釣針２１を、三段にして串挿し座金１８を介して、下部係止環受部１６に下部係止環１９を、係止して釣針付芯杆５を、まず構成しておく。このような状態に、用意された釣針付芯杆５に、更に、その釣針付芯杆５の頂部に、補強座金２２と錘体７と下部支承筒６を挿着し、且つ釣針付芯杆５の連結杆引掛鉤部８には、連結杆９の釣針付芯杆連結部１０を、折曲自在に係止すると共に、その連結杆９の上部より、上部支承筒１１と、弾性体１２と、弾性体補強管１３を順次、挿入する。これに更に、擬餌本体１を用意し、その擬餌本体１の、連結杆通孔兼係止鉤部鉤杆拡開防止装置管部４ｂに、上記、連結杆９の係止鉤部１４を貫挿し、該係止鉤部に上部係止環１５を、嵌着して組立が完了する。分解するときは、弾性体１２を釣針付芯杆５で、圧縮し連結杆９の係止鉤部１４か、釣針付芯杵５の下部係止環受部１６か、どちらか一方を押し出し、係止鉤部１４の方のときは、上部係止環１５を外し、下部係止環受部１６ときは、下部係止環１９を外して分解する。
【００２８】
機械釣りにおける、本発明、イカ釣針の作用は、請求項５の発明の場合は、図７に示すように、上部支承筒１１と、下部支承筒６のところで折曲して、ガイドローラ２７となじみ、且つ海中にあっては、イカが、擬餌体と、傘状釣針２１に、抱付いても凹部２４と凸部２５によって、折り曲がることが防止される。次に、請求項６の発明の場合は、図１５に示すように、釣針付芯杆５と支承筒２６とが、嵌合されているが、ガイドローラ２７に接したときは、釣針付芯杆５と支承筒２６のところで、折曲してガイドローラ２７になじみ、海中にあっては、イカが、擬餌体と傘状釣針２１とに、抱き付いてもその程度の力では、釣針付芯杆５の上部に、支承筒２６の下部が嵌合されているので、折り曲がることがない。
【００２９】
【発明の効果】
本発明における、請求項１の効果について説明すれば、金属製丸形パイプを圧縮して、帽子状部を形成すると共に、下部には、挿入孔室を設けて擬餌本体１を構成し、該擬餌本体における帽子状部の、中心に連結杆通孔を開穿して成る、イカ釣針の擬餌体であるから、まず、金属製の擬餌体でありながら、連結杆と上部係止環とを用いることができて、テグス又は道糸である釣糸が、擬餌体と接断することなく、連結杆や上部係止環の破損もない、また、もともと金属製パイプであるから、大型擬餌体としても軽く、多量のイカ釣針を、一本線状に用いる機械釣りにも、適したイカ釣針が得られ、それでいて擬餌体に、挿入孔室が得られ、その挿入孔室内に、鉛等の錘を内包することができて、重く大型のイカ釣針における、擬餌体となり効果大の、イカ釣針の擬餌体である。
【００３０】
次に、請求項２の発明の効果であるが、その構成は、金属製丸形パイプの上面部を平板状に、圧縮して水掻部を形成すると共に、下部には、挿入孔室を設けて、擬餌本体を構成し、該擬餌本体における、水掻部の中心中央に位置して、挿入孔室に通じる、連結杆通孔兼係止鉤部鉤杆拡開防止装置管部を、貫通して成るイカ釣針の、擬餌体であるので、請求項１の効果に加えて、連結杆の係止鉤部と上部係止環とが、係止して、使用される場合において、上部係止環に強い力が加わって、係止鉤部の鉤杆が、拡開せんとしても、連結杆通孔兼係止鉤部鉤杆拡開防止装置管部が、あるため全く、係止鉤部の鉤杆が拡開せず、機械釣り中に分断するおそれのない効果がある。、
【００３１】
加えて、請求項３の発明は請求項１乃至２の、金属製丸形パイプから成る、擬餌体において、挿入孔室一部を角形に圧縮成形した、イカ釣針の擬餌体であるので、丸形ながら附属品を、内包しても、その擬餌体と付属品が回動することなく、安定したイカ釣針が得られる効果がある
【００３２】
更に、請求項４の発明は、構成について、金属製角形パイプの上面部を、平板状に圧縮して、水掻部を形成すると共に、下部には挿入孔室を設けて、擬餌本体を構成し、該擬餌本体における、水掻部の中心中央に位置して、挿入孔室に通じる、連結杆通孔兼係止鉤部鉤杆拡開防止装置管部を、貫通して成る、イカ釣針の擬餌体であるから、従って、請求項１乃至２の、発明の効果を備え、且つ請求項１乃至２の発明は、金属製パイプが丸形であるため、付属品との間に回動する欠点があり、それを防ぐため、一部、角形にする必要が、ある場合があった。それを初めから、金属製パイプを角形としたので、付属品との間に、回動するおそれなく、しかも、加工手段を必要性のない、効果がある。
【００３３】
且つ、請求項５の発明は、その構成について説明すれば、請求項２と請求項４の擬餌体において、釣針付芯杆の上部に、下部支承筒を串挿し、この釣針付芯杆の、連結杆引掛鉤部には、連結杆の、釣針付芯杆連結部を、折曲自在に引掛け、且つこの連結杆の上部より、上部支承筒と、弾性体と、弾性体補強管とを、順次、挿通し、その弾性体補強管と弾性体と上部支承筒の上部とを、擬餌本体の挿入孔室に、内包すると共に、上部支承筒の凹部と下部支承筒の凸部とを、嵌合して、イカ抱付き折曲防止機構を構成せしめ、且つ連結杆の係止鉤部を、擬餌本体における、連結杆通孔兼係止鉤部鉤杆拡開防止装置管部に貫通し上記、係止鉤部に上部係止環を引掛けて成るイカ釣針であるから、請求項１、請求項２並びに、請求項４の効果に加え、ガイドローラになじみ、海中にあってイカが、イカ釣針全体に抱付いても、折曲せずイカの釣り落しのない、効果もあるものである。
【００３４】
且つ、また請求項６の発明は、構成を請求項２と、請求項４の擬餌体において、釣針付芯杆の、連結杆引掛鉤部に連結杆の、釣針付芯杆連結部を、折曲自在に引掛け、且つこの連結杆の上部より、支承筒と弾性体と弾性体補強管とを、順次挿通し、その弾性体補強管と弾性体と支承筒の上部とを、擬餌本体の挿入孔室に内包すると共に、該支承筒の下部を釣針付芯杆の、上端に嵌合させて、イカ抱付き折曲防止機構を構成せしめ、且つ連結杆の係止鉤部を擬餌本体における、連結杆通孔兼係止鉤部鉤杆拡開防止装置管部に、貫通し上記、係止鉤部に上部係止環を、引掛けて成るイカ釣針としたものであるから、請求項１、請求項２、請求項４並びに、請求項５の効果に加えて、折曲部分が傘状釣針の先端に、接近しているので、ガイドローラに、接しても傘状釣針の先端を、傷めることのない効果が生じる発明である。
【図面の簡単な説明】
【図１】  本願発明、請求項１に係る擬餌体の実施例を示す縦断正面図である。
【図２】  図１の、分解縦断正面図ある。
【図３】  本願発明、請求項２に係る擬餌体の実施例を示す縦断正面図である共に、請求項５の縦断正面図である。
【図４】  図３の、Ｔ−Ｔ線に沿える横断端面図である。
【図５】  図３の、Ｖ−Ｖ線に沿える横断端面図である。
【図６】  図３の、縮尺分解縦断正面図である。
【図７】  図３に、示すイカ釣針の使用例におけるガイドローラに接する状態の縦断正面図である。
【図８】  本願発明、請求項４に係る擬餌体の実施例を示す縦断正面図であると共に、請求項５の縦断正面図である。
【図９】  図８の、Ｗ−Ｗ線に沿える横断端面図である。
【図１０】図８の、Ｘ−Ｘ線に沿える横断端面図である。
【図１１】図８の、縮尺分解縦断正面図である。
【図１２】図８に、示すイカ釣針の使用例におけるガイドローラに接する状態の縦断正面図である。
【図１３】本願発明、請求項６に係るイカ釣針の縦断正面図である。
【図１４】図１３の、縮尺分解縦断正面図である。
【図１５】図１３に、示すイカ釣針の使用例におけるガイドローラに接する状態の縦断正面図である。
【図１６】本願発明、請求項３に係るイカ釣針の擬餌体の実施例を示す縦断正面図である。
【図１７】図１６の、Ｙ−Ｙ線に沿える横断端面図である。
【図１８】図１６の、Ｚ−Ｚ線に沿える横断端面図である。
【図１９】図１６の、縮尺分解縦断正面図である。
【符号の説明】
１  ：  擬餌本体
２ａ：  帽子状部
２ｂ：  水掻部
３  ：  挿入孔室
４ａ：  連結杆通孔
４ｂ：  連結杆通孔兼係止鉤部鉤杆拡開防止装置管部
５  ：  釣針付芯杆
６  ：  下部支承筒
７  ：  錘体
８  ：  連結杆引掛鉤部
９  ：  連結杆
１０：  釣針付芯杆連結部
１１：  上部支承筒
１２：  弾性体
１３：  弾性体補強管
１４：  係止鉤部
１５：  上部係止環
１６：  下部係止環受部
１７：  鉤部杆
１８：  座金
１９：  下部係止環
２０：  固定リング
２１：  傘状釣針
２２：  補強座金
２３：  芯軸
２４：  凹部
２５：  凸部
２６：  支承筒
２７：  ガイドローラ
【図１】
0003892590.tif 000002
【図２】
0003892590.tif 000003
【図３】
0003892590.tif 000004
【図４】
0003892590.tif 000005
【図５】
0003892590.tif 000006
【図６】
0003892590.tif 000007
【図７】
0003892590.tif 000008
【図８】
0003892590.tif 000009
【図９】
0003892590.tif 000010
【図１０】
0003892590.tif 000011
【図１１】
0003892590.tif 000012
【図１２】
0003892590.tif 000013
【図１３】
0003892590.tif 000014
【図１４】
0003892590.tif 000015
【図１５】
0003892590.tif 000016
【図１６】
0003892590.tif 000017
【図１７】
0003892590.tif 000018
【図１８】
0003892590.tif 000019
【図１９】
0003892590.tif 000020